(57)【要約】【課題】  コンタクト端子を確実に固定することができると共に、電気部品の挿入性を阻害しない電気部品用ソケットを提供すること。【解決手段】  電気部品５０が装着される上方に開放した箱状のハウジング１と、ハウジング１に複数設けられるものであって上記電気部品５０と接続するコンタクト端子１０とからなる電気部品用ソケットにおいて、コンタクト端子１０はハウジング１の側壁２に固定される固定部１２を有し、ハウジング１の側壁２はコンタクト端子１０の固定部１２を圧入する挿入部５を有し、挿入部５は圧入されるコンタクト端子１０の固定部１２をハウジング１の外方に露出させる開口部６を有してなる。【選択図】  図１
2006338885.tif 000002
【特許請求の範囲】
【請求項１】
電気部品が装着される上方に開放した箱状のハウジングと、該ハウジングに複数設けられるものであって上記電気部品と接続するコンタクト端子とからなる電気部品用ソケットにおいて、
上記コンタクト端子は上記ハウジングの側壁に固定される固定部を有し、
上記ハウジングの側壁は上記コンタクト端子の固定部を圧入する挿入部を有し、該挿入部は圧入される上記コンタクト端子の固定部を上記ハウジングの外方に露出させる開口部を有してなることを特徴とする電気部品用ソケット。
【請求項２】
上記開口部は上記挿入部に沿って上記ハウジングの側壁外面に切欠状に形成されてなることを特徴とする請求項１記載の電気部品用ソケット。
【請求項３】
上記コンタクト端子の固定部は上端部が上記挿入部内に配置されて上記ハウジングの側壁に固定されることを特徴とする請求項１または２記載の電気部品用ソケット。
【発明の詳細な説明】
【技術分野】
【０００１】
本発明は、電気部品を装着する電気部品用ソケットに関し、特にコンタクト端子をハウジングの側壁に固定してなる電気部品用ソケットに関する。
【背景技術】
【０００２】
従来、電気部品を納める電気部品用ソケットとしては、複数のコンタクト端子が並置され、電気部品がハウジングに装着された際に、コンタクト端子を電気部品の底面に有する接触部と接触させて電気接続するものが使用されている。このような電気部品用ソケットとしては、例えば特許文献１に挙げるようなものがある。
【特許文献１】特許第２６０４９６９号公報
【発明の開示】
【発明が解決しようとする課題】
【０００３】
しかし、従来の電気部品用ソケットにおいては、以下に述べる問題点を有していた。コンタクト端子は端部をハウジングの側壁内に形成される挿入部に圧入することによって固定される。この圧入によりハウジングの側壁はコンタクト端子に押されて内外方向に膨らむ。ハウジングの側壁が厚い場合には側壁の膨らみを肉厚により許容することができるが、ハウジングの小型化のため側壁を薄くした場合には、圧入による側壁の内側への膨らみが大きくなるので、ハウジング内に電気部品を挿入できないことがある。このため、ハウジングの小型化が阻害されていた。
【０００４】
本発明は上記課題を鑑みてなされたものであり、側壁を薄くしても電気部品を確実にハウジング内に挿入することができハウジングの小型化を図ることができる電気部品用ソケットを提供することを目的とする。
【課題を解決するための手段】
【０００５】
上記課題を解決するため、本発明に係る電気部品用ソケットは、電気部品が装着される上方に開放した箱状のハウジングと、該ハウジングに複数設けられるものであって上記電気部品と接続するコンタクト端子とからなる電気部品用ソケットにおいて、
上記コンタクト端子は上記ハウジングの側壁に固定される固定部を有し、
上記ハウジングの側壁は上記コンタクト端子の固定部を圧入する挿入部を有し、該挿入部は圧入される上記コンタクト端子の固定部を上記ハウジングの外方に露出させる開口部を有してなることを特徴として構成されている。
【０００６】
また、本発明に係る電気部品用ソケットは、上記開口部は上記挿入部に沿って上記ハウジングの側壁外面に切欠状に形成されてなることを特徴として構成されている。
【０００７】
さらに、本発明に係る電気部品用ソケットは、上記コンタクト端子の固定部は上端部が上記挿入部内に配置されて上記ハウジングの側壁に固定されることを特徴として構成されている。
【発明の効果】
【０００８】
本発明に係る電気部品用ソケットによれば、ハウジングの側壁はコンタクト端子の固定部を圧入する挿入部を有し、挿入部は圧入されるコンタクト端子の固定部をハウジングの外方に露出させる開口部を有してなることにより、固定部の圧入により開口部が左右に拡がるように変形して側壁全体がハウジングの外側方向に膨らむので、側壁を薄型化しても電気部品を確実にハウジングに挿入することができる。したがって、ハウジングの小型化を図ることができる。
【０００９】
また、本発明に係る電気部品用ソケットによれば、開口部は挿入部に沿ってハウジングの側壁外面に切欠状に形成されてなることにより、容易に開口部を形成することができる。
【００１０】
さらに、本発明に係る電気部品用ソケットによれば、コンタクト端子の固定部は上端部が挿入部内に配置されてハウジングの側壁に固定されることにより、固定部の上端部に有するバリ等を側壁内に納めておくことができ、外観及び安全性を向上させることができる。
【発明を実施するための最良の形態】
【００１１】
本発明の実施形態について図面に添って詳細に説明する。図１は本実施形態における電気部品用ソケットと電気部品５０の斜視図、図２は本実施形態におけるハウジング１の平面図、図３は図２のＡ−Ａ断面図である。これら各図に示すように、本実施形態における電気部品用ソケットは、電気部品５０が装着されるハウジング１と、ハウジング１に複数設けられるものであって、電気部品５０と回路基板（図示しない）とを電気接続可能とするコンタクト端子１０とから構成される。また、電気部品５０にはハウジング１に装着した状態でカバー部材４０が上方から装着される。
【００１２】
ハウジング１に装着される電気部品５０は、数ミリメートル四方のシリコンなどの半導体を加工して、多数の回路素子を組み込み電子回路として機能するようにしたものである。本実施形態において電気部品５０は、さらに光学部品を組み込んだカメラモジュールとしている。ただし、電気部品５０としてはカメラモジュールには限られない。
【００１３】
また、電気部品５０は、底面に複数の接触部を有しており、ハウジング１に装着して接触部（図示しない）と細板状のコンタクト端子１０を接触させることで、電気部品５０の回路基板に対する電気接続が可能となる。電気部品５０の側面５１のうち１面には、側面５１から外方に突出した突出部５６が形成されており、後述するハウジング１の案内部に配置される。また、電気部品５０の側面５１には、後述するカバー部材４０の爪部４６と係合する被係合部５７が形成される。
【００１４】
電気部品５０を収容するハウジング１は樹脂等の絶縁材料から形成されると共に、上方が開放した箱状に形成される。ハウジング１は、上方から電気部品５０が挿入され嵌め込まれることによって、電気部品５０が装着された状態となる。また、図１及び図２に示すように、ハウジング１の側壁２のうち１面には、電気部品５０の側面５１に形成された突出部５６を配置する案内部３０が形成されている。また、案内部３０が形成されている側壁２以外の他の３面には、それぞれ電気部品５０の突出部５６と干渉する規制部３１を有し、規制部３１の上端部は側壁２の上端部と連続状に形成される。
【００１５】
このように電気部品５０は、突出部５６を有する側面５１と案内部３０を設けた側壁２とを対応させて挿入した場合にのみハウジング１に装着され、それ以外の向きではハウジング１の規制部３１と突出部５６が干渉してハウジング１に装着できないようにしている。したがって、電気部品５０を誤った向きでハウジング１に挿入することを防止できる。
【００１６】
また、ハウジング１は、図１に示すように各側壁２にそれぞれ接地部材６０を有している。接地部材６０は後述する金属製のカバー部材４０を回路基板に導通させるものであり、カバー部材４０と共に電気部品５０を静電気および電気的ノイズ等から保護する。接地部材６０は、図１及び３に示すように、ハウジング１の側壁に固定される固定部６１と、回路基板に接合される接続部６２を有している。固定部６１は外面にカバー部材４０の弾性片４１と係合する凹部６３を有している。接地部材６０の接続部６２は断面Ｕ字状に形成され、下端部が回路基板に半田付け等によって接合される。
【００１７】
電気部品５０が装着されたハウジング１には、通電検査等の終了後カバー部材４０が上方から装着される。カバー部材４０は、図１に示すように電気部品５０を上方から覆うと共に、ハウジング１の外側面に係脱自在とされており、ハウジング１に装着することによって電気部品５０を保護する。カバー部材４０の上面は電気部品５０の上部に組み込まれた光学部品が露出するように開口部４５が形成される。そして、開口部４５の縁部には、電気部品５０の側面５１に形成される被係合部５７に係合する爪部４６が複数形成される。カバー部材４０をハウジング１に装着すると、爪部４６によって電気部品５０を上方から押さえることになり、電気部品５０がハウジング１から抜け出ることが防止される。
【００１８】
また、カバー部材４０は側面にハウジング１の接地部材６０に対応した位置に弾性片４１を有している。弾性片４１は、カバー部材４０の側面の一部を内方に折り曲げて弾性を持たせたものである。接地部材６０の固定部６１は外面に凹部６３を有しているので、カバー部材４０をハウジング１に装着すると弾性片４１が固定部６１の凹部６３に係合してカバー部材４０と接地部材６０が導通し、電気部品５０を静電気および電気的ノイズ等から保護すると共にカバー部材４０がハウジング１から外れにくくなる。
【００１９】
図３に示すように、ハウジング１に複数設けられるコンタクト端子１０は、金属等の導電性材料から形成され、その先端部に形成される接続部１１が電気部品５０の接触部と対応してハウジング１内に配置される。接続部１１は接触部との接触を確実にするために上部を断面略半円状に形成されている。また、コンタクト端子１０はハウジング１の側壁２内に固定される固定部１２と、固定部１２の下端部に接続される弾性部１８とを備え、弾性部１８の先端に接続部１１が形成される。コンタクト端子１０の固定部１２は、ハウジング１の側壁２の高さよりも短く形成される。
【００２０】
ハウジング１の側壁２はコンタクト端子１０の固定部１２を圧入する挿入部５を有している。挿入部５は側壁２の下端から側壁２内の所定位置まで形成されており、コンタクト端子１０の固定部１２を圧入することによってコンタクト端子１０を固定する。また、挿入部５は側壁２の外側方向に開口部６が形成される。開口部６はハウジング１の側壁２外面に切欠状に形成され、圧入されるコンタクト端子１０の固定部１２の外面をハウジング１の外方に露出させる。
【００２１】
挿入部５はコンタクト端子１０の固定部１２を圧入することでコンタクト端子１０を固定する。この圧入によりハウジング１の側壁２は固定部１２に押されて内外方向に膨らむ。図４はハウジング１の側壁２にコンタクト端子１０の固定部１２を圧入した状態を示した断面図である。
【００２２】
図４に示すように、側壁２内に形成された挿入部５にはハウジング１の外側方向に開口部６を形成し、側壁２の内面２ａ側には開口を設けず連続状としている。このため、コンタクト端子１０の固定部１２を挿入部５に圧入すると、ハウジング１の外方に開口した開口部６が左右に拡がる。ハウジング１の側壁２は複数のコンタクト端子１０、１０が並設されることから、各開口部６がそれぞれ左右に拡がり、側壁２全体としてハウジング１の外側方向に膨らむように変形する。すなわち、コンタクト端子１０を圧入しても、側壁２がハウジング１の内側方向に膨らむことがない。このため、側壁２を薄型化しても電気部品５０の挿入を妨げることなくコンタクト端子１０を側壁２に固定することができるので、ハウジング１の小型化を図ることができる。
【００２３】
また、コンタクト端子１０はハウジング１の側壁２毎に取り付けられる。図５はコンタクト端子１０の取り付けについて示したものであり、図５（ａ）はコンタクト端子１０をハウジング１の側壁２に圧入する状態を示し、図５（ｂ）はコンタクト端子１０を側壁２に圧入した状態を示している。図５（ａ）に示すように、本実施形態ではハウジング１の側壁２のうち一面に配置される複数のコンタクト端子１０、１０はそれぞれ固定部１２の上端が連結片１９により連結されている。そして、図５（ｂ）に示すようにハウジング１の側壁２毎に複数のコンタクト端子１０、１０を側壁２に圧入する。そして、連結片１９を折り曲げて切断することによって各コンタクト端子１０は側壁２内に取り付けられる。本方法によれば短時間で多くのコンタクト端子１０を側壁２に取り付けることができる。
【００２４】
また、図３に示すように、コンタクト端子１０の固定部１２の長さは、ハウジング１の側壁２の高さよりも短く形成されており、挿入部５の高さも固定部１２の長さに合わせて形成される。このため、固定部１２の上端部は側壁２の挿入部５内に納められることになり、連結片１９の切断によるバリなどが外部に露出することがなく、外観及び安全性を向上させることができる。
【００２５】
以上、本発明の実施形態について説明したが、本発明の適用はこれら実施形態には限られず、その技術的思想の範囲内において様々に適用されうるものである。例えば、ハウジング１内に並置されるコンタクト端子１０の数は、本実施形態に限られず、より多くてもよいし、より少なくてもよい。また、各コンタクト端子１０の配置についても本実施形態には限られず、電気部品５０の接触部の配置に対応して変更可能である。
【図面の簡単な説明】
【００２６】
【図１】本実施形態における電気部品用ソケットと電気部品の斜視図である。
【図２】本実施形態におけるハウジングの平面図である。
【図３】図２のＡ−Ａ断面図である。
【図４】コンタクト端子を圧入した際の側壁の形状について示す横断面図である。
【図５】コンタクト端子のハウジングへの装着を示す斜視図である。
【符号の説明】
【００２７】
１    ハウジング
２    側壁
５    挿入部
６    開口部
１０    コンタクト端子
１１    接続部
１２    固定部
１８    弾性部
４０    カバー部材
５０    電気部品
【図１】
2006338885.tif 000003
【図２】
2006338885.tif 000004
【図３】
2006338885.tif 000005
【図４】
2006338885.tif 000006
【図５】
2006338885.tif 000007